(57)【特許請求の範囲】
【請求項１】
枠体と、前記枠体に保持された光源と、前記枠体における照射側部に着脱自在に装着された透光性カバーとを備えた医療用照明装置であって、
前記透光性カバーは、前記枠体に対して第１及び第２のロック機構を介して装着状態が維持可能とされると共に、前記透光性カバーの枠体に対する装着部分には弾性手段が介在され、
前記第１のロック機構のロック解除操作をし、且つ、前記透光性カバーに対して前記弾性手段の弾力に抗した力を作用させない限り、前記第１及び第２のロック機構によるロックの解除がなし得ないよう構成され、
前記枠体における前記照射側部の反対側部に、反射ミラーを更に備え、前記反射ミラーと前記光源とが一体とされて照明モジュールとされ、前記照明モジュールが、前記枠体に対して着脱自在に装着されていることを特徴とする医療用照明装置。
【請求項２】
請求項１に記載の医療用照明装置において、
前記第１のロック機構が、回動爪部材と、前記回動爪部材の爪片が掛止される被掛止部とよりなり、前記爪片が被掛止部から離脱する方向に前記回動爪部材を回転させた後、前記透光性カバーに対して前記弾性手段の弾力に抗した力を作用させることにより、前記爪片の被掛止部からの離脱がなし得、これによって前記第１のロック機構によるロックが解除されるように構成されていることを特徴とする医療用照明装置。
【請求項３】
請求項２に記載の医療用照明装置において、
前記第２のロック機構が、前記枠体及び透光性カバーの双方に形成された鉤型係止部片よりなり、前記第１のロック機構によるロックが解除された後に、前記鉤型係止部片同士の係止関係が解放可能とされ、これによって前記第２のロック機構によるロックが解除されるよう構成されていることを特徴とする医療用照明装置。
【請求項４】
請求項１乃至３のいずれか１項に記載の医療用照明装置において、
前記弾性手段が、前記透光性カバーの辺部に形成された舌状部片からなることを特徴とする医療用照明装置。
【請求項５】
請求項１乃至３のいずれか１項に記載の医療用照明装置において、
前記弾性手段が、ばね部材と、前記ばね部材によって弾力付勢される押当部材とからなることを特徴とする医療用照明装置。
【請求項６】
請求項１乃至５のいずれか１項に記載の医療用照明装置において、
前記透光性カバーが、紫外線吸収機能を備えていることを特徴とする医療用照明装置。
【発明の詳細な説明】
【技術分野】
【０００１】
本発明は、歯科用等の医療用照明装置のように、照射側に透光性カバーが着脱自在に装着された医療用照明装置に関するものである。
【背景技術】
【０００２】
医療用照明装置、例えば、歯科用診療台の側部に設置され、診療台上の患者に向け照射される医療用照明装置としては、所謂無影灯が用いられる（特許文献１及び特許文献２参照）。このような医療用照明装置は、光源からの光を反射ミラーで反射させて患部に向け照射させるよう構成され、患部にできるだけ影ができないよう、反射ミラーからの反射光が患部に対して多方向から入射されるようになされている。そして、光源や反射ミラーを保持する枠体の照射側部（反射ミラーとは反対側）には、光源や反射ミラーの汚れを防止したり、光源などの脱落或いは破損を防止したりする為の透光性カバーが取り付けられる。この透光性カバーは、それ自体及び内部の清掃の為、或いは光源の交換等の為に、枠体等に対して着脱自在に装着されている。特許文献１及び特許文献２においても、透光性カバーが着脱自在に装着し得るよう構成される旨の技術思想が開示されている。
【先行技術文献】
【特許文献】
【０００３】
【特許文献１】特開平６−２９２６８７号公報
【特許文献２】特開平７−２６２８０２号公報
【発明の概要】
【発明が解決しようとする課題】
【０００４】
特許文献１においては、透光性カバーが、取付部材に設けられた孔に嵌入されて着脱自在とされている。そして、無影灯を下向きにした時に脱落しないように、例えば、ばねの押圧力や磁石の吸引力を利用し、或いは螺入されるボルトの係合作用を利用するロック機構を用いることが可能である旨記載されている（同特許文献の段落００１０参照）。この場合、ロック機構は１個（種）のみで、ロック解除はワンアクション操作によってなされる為、無影灯を下向きにした状態で且つ透光性カバーに手を添えずにロック解除操作を行ったりすると、透光性カバーが不意に落下して破損したりする事態に至ることがある。また、特許文献２においては、透光性カバーが可撓性及び弾発性を有する材料からなり、透光性カバーを湾曲させて両端部を枠体の嵌合溝に嵌り込ませ、その弾発力を利用して嵌合溝に対する嵌り込み状態を維持することによって枠体に保持させるようになされている。この場合、透光性カバーを湾曲させれば、嵌合溝に対する嵌り込み状態から解放され、透光性カバーを枠体から簡易に取外すことができる。しかし、着脱作業時に湾曲状態とされる透光性カバーは弾性復元力を保有するから、その復元作用によって手から不意に飛び出し脱落することがある。このように、着脱作業時に透光性カバーが不意に落下したりすると、診療作業の円滑性を欠き、また、透光性カバーやその他の備品を破損したりすることにもなり、その抜本的な改良が望まれるところであった。
【０００５】
本発明は、前記に鑑みなされたものであり、透光性カバーの着脱作業時に、不意に落下することがないよう改良された医療用照明装置を提供することを目的とする。
【課題を解決するための手段】
【０００６】
本発明に係る医療用照明装置は、枠体と、前記枠体に保持された光源と、前記枠体における照射側部に着脱自在に装着された透光性カバーとを備えた医療用照明装置であって、前記透光性カバーは、前記枠体に対して第１及び第２のロック機構を介して装着状態が維持可能とされると共に、前記透光性カバーの枠体に対する装着部分には弾性手段が介在され、前記第１のロック機構のロック解除操作をし、且つ、前記透光性カバーに対して前記弾性手段の弾力に抗した力を作用させない限り、前記第１及び第２のロック機構によるロックの解除がなし得ないよう構成され、前記枠体における前記照射側部の反対側部に、反射ミラーを更に備え、前記反射ミラーと前記光源とが一体とされて照明モジュールとされ、前記照明モジュールが、前記枠体に対して着脱自在に装着されていることを特徴とする。
【０００７】
本発明の医療用照明装置において、前記第１のロック機構が、回動爪部材と、前記回動爪部材の爪片が掛止される被掛止部とよりなり、前記爪片が被掛止部から離脱する方向に前記回動爪部材を回転させた後、前記透光性カバーに対して前記弾性手段の弾力に抗した力を作用させることにより、前記爪片の被掛止部からの離脱がなし得、これによって前記第１のロック機構によるロックが解除されるように構成しても良い。この場合、前記第２のロック機構が、前記枠体及び透光性カバーの双方に形成された鉤型係止部片よりなり、前記第１のロック機構によるロックが解除された後に、前記鉤型係止部片同士の係止関係が解放可能とされ、これによって前記第２のロック機構によるロックが解除されるよう構成しても良い。
【０００８】
また、本発明の医療用照明装置において、前記弾性手段としては、前記透光性カバーの辺部に形成された舌状部片からなるもの、或いは、ばね部材と、前記ばね部材によって弾力付勢される押当部材とからなるものであっても良い。
【０００９】
更に、本発明の医療用照明装置において、前記透光性カバーが、紫外線吸収機能を備えているものであっても良い。透光性カバーに紫外線吸収機能を付与する方法としては、紫外線吸収素材を透光性カバーの表面にコーティグする方法や、紫外線吸収素材を含む材料で透光性カバーを形成する方法等が採用される。
【発明の効果】
【００１１】
本発明に係る医療用照明装置によれば、枠体における照射側部に透光性カバーが装着されているから、光源からの照射光はこの透光性カバーを透して、患部等に照射される。透光性カバーが装着されていることにより、その背後にある光源やその他の備品等の汚染が防止され、更には、光源等が脱落したりすることがなく、本照明装置に外部から衝撃が加わった場合でも、光源等の破損を防ぐことができる。そして、透光性カバーは枠体に着脱自在に装着されているから、光源等の交換も簡易になされ、透光性カバーを単独で滅菌消毒することもできる。しかも、前記枠体に対して第１及び第２のロック機構を介して装着状態が維持可能とされているから装着状態が安定する。加えて、前記第１のロック機構のロック解除操作をし、且つ、前記透光性カバーに対して、前記透光性カバーの枠体に対する装着部分に介在される弾性手段の弾力に抗した力を作用させない限り、前記第１及び第２のロック機構によるロックの解除がなし得ないよう構成されているから、所謂ダブルアクションによって、透光性カバーの離脱取外が可能とされる。従って、取外作業時における透光性カバーの不意の脱落が生じ難くなる。
また、前記枠体における前記照射側部の反対側部に、反射ミラーを更に備えているから、光源からの光が効率的に患部の照明光として用いられ、且つ無影灯としての機能も得られる。加えて、前記反射ミラーと前記光源とが一体とされて照明モジュールとされ、前記照明モジュールが、前記枠体に対して着脱自在に装着されているから、例えば、光源がハロゲンランプからなる照明モジュール、ＬＥＤからなる照明モジュール等を製品仕様として準備しておけば、需要者の種々のニーズにも的確に応えることができる。
【００１２】
また、前記第１のロック機構が、回動爪部材と、前記回動爪部材の爪片が掛止される被掛止部とよりなるものとすれば、爪片が被掛止部に掛止されている時には、第１のロック機構によるロック状態が維持される。そして、前記爪片が被掛止部から離脱する方向に前記回動爪部材を回転させると、第１のロック機構のロックが解除される態勢となるが、前記透光性カバーに対して前記弾性手段の弾力に抗した力を作用させない限り、前記爪片の被掛止部からの離脱がなし得ないから、回動爪部材を回転操作するだけでは透光性カバーの取外しはできず、この回転操作の際に透光性カバーが不意に脱落することがない。この場合、前記第２のロック機構が、前記枠体及び透光性カバーの双方に形成された鉤型係止部片よりなるものとし、前記第１のロック機構によるロックが解除された後に、前記鉤型係止部片同士の係止関係が解放可能とされるようにし、これによって前記第２のロック機構によるロックが解除されるよう構成すれば、第１のロック機構のロック解除及び第２のロック機構のロック解除が時間差をもってなされ、取外作業時における透光性カバーの脱落防止機能がより確実に発現される。
【００１３】
前記弾性手段としては、例えば、前記透光性カバーの辺部に形成された舌状部片からなるもの、或いは、ばね部材と、前記ばね部材によって弾力付勢される押当部材とからなるものが好ましく採用される。前者の場合、舌状部片の自由端側が前記のようなロック機構の解除を弾性的に規制する機能を奏することになる。そして、この場合、透光性カバーの辺部を加工するだけで弾性手段としての舌状部片を形成することができるから、部品点数の増大をもたらすことがない。また、後者の場合、ばね部材によって弾力付勢される押当部材が、前記ロック機構の解除を弾性的に規制する機能を確実に奏することになる。
【００１４】
前記透光性カバーが、紫外線吸収機能を備えているものとした場合、例えば、歯科治療においては、歯牙に紫外線で重合する樹脂を充填する治療が行われるが、本発明に係る照明装置の照明下においては、このような光重合樹脂の調合中に硬化が促進されてしまうことがなく、治療の円滑性が損なわれる懸念がない。
【図面の簡単な説明】
【００１６】
【図１】本発明の一実施形態に係る医療用照明装置が用いられた歯科診療装置の全体構成を示す模式的斜視図である。
【図２】（ａ）は同医療用照明装置の拡大斜視図、（ｂ）は同医療用照明装置において透光性カバーを取外した状態の枠体の斜視図、（ｃ）は同医療用照明装置における透光性カバーのみの斜視図である。
【図３】（ａ）（ｂ）（ｃ）は、ロック機構の動作状態を説明する図であり、図２のＸ−Ｘ線矢視断面部における枠体と透光性カバーとの関係を模式的に示す図である。
【図４】（ａ）は、図３（ｂ）におけるＹ部の拡大図、（ｂ）は、図３（ｃ）におけるＺ部の拡大図である。
【図５】（ａ）（ｂ）は、別の実施形態を示す図４（ａ）（ｂ）と同様図である。
【図６】（ａ）（ｂ）は、図５（ａ）（ｂ）に示す例の変形例を示す図４（ａ）（ｂ）と同様図である。
【図７】更に別の実施形態における弾性手段を含む要部の断面図である。
【図８】同医療用照明装置において光源と反射ミラーとが照明モジュール化された例を示す分解斜視図である。
【図９】同光源と反射ミラーとが照明モジュール化された例の別例を示す分解斜視図である。
【発明を実施するための形態】
【００１７】
以下、本発明の医療用照明装置の実施の形態について図面に基づき説明する。図１は、本発明に係る医療用照明装置が用いられた歯科診療装置の全体構成を示している。図に示す歯科診療装置Ａは、昇降自在な座板１ａ、該座板１ａの一端に起伏自在に連結された背板１ｂ及び該背板１ｂの上端に設けられたヘッドレスト１ｃを備える歯科診療台１と、ドクター用インスツルメントホルダー２を備え前記歯科診療台１の一側部に移動自在に設置されたトレーテーブル３と、前記歯科診療台１の他側部に移動自在に設置されたアシスタント用インスツルメントホルダー４と、同他側部に設置されたうがい用スピットン装置５と、該スピットン装置５に立設されたポール６にハンガーアーム７を介して支持された歯科用（医療用）照明装置１０とを含んで構成されている。トレーテーブル３は、各種薬品、ピンセット等の治療器具の載置台であり、また、補綴材料（例えば、紫外線硬化樹脂）の調合等の作業台として用いられる。このトレーテーブル３の側部には、カルテの内容や患部の撮像画像等を映し出すモニターディスプレイ３ａや、操作パネル３ｂが付設されている。
【００１８】
前記ドクター用インスツルメントホルダー２には、主にドクターが使用するエアタービンハンドピース、マイクロモータハンドピース或いはスリーウェイシリンジ等の歯科用インスツルメント２ａが取出し自在に保持されている。前記アシスタント用インスツルメントホルダー４には、主にアシスタントが使用するバキュームシリンジ、サライバエジェクタ或いはスリーウェイシリンジ等の歯科用インスツルメント４ａが取出し自在に保持され、その上面にはアシスタント用の操作パネル４ｂが設けられている。トレーテーブル３及びアシスタント用インスツルメントホルダー４は、ドクター及びアシスタントが、診療姿勢に応じその都度使い易い位置に引寄せ移動し得るように構成されている。歯科診療台１の昇降或いは起伏操作、各種インスツルメント２ａ，４ａの駆動操作、モニターディスプレイ３ａのオン・オフ操作、或いは、スピットン装置５の給水オン・オフ操作等は、フートコントローラ８、前記操作パネル３ｂ，４ｂの足踏み或いは手操作によってなされる。
【００１９】
歯科用照明装置１０は、歯科診療台１上の患者の着座或いは仰臥姿勢に応じて患者の口腔内を照射し得るよう、ハンガーアーム７を介してその位置調整が可能に前記ポール６に支持されている。ハンガーアーム７は、多関節アームからなり、前記ポール６にその軸心回りに回動自在に支持された第１アーム７ａと、該第１アーム７ａの先端に水平旋回可能に支持された第２アーム７ｂと、該第２アーム７ｂの先端に水平旋回可能且つ上下揺動可能に支持された第３アーム７ｃと、該第３アーム７ｃの先端に左右首振可能に支持されたフォーク状先端アーム７ｄ（図２も参照）とより構成される。先端アーム７ｄの一対の自由端には、歯科用照明装置１０がヒンジピン７ｅ（図２も参照）を介して上下首振可能に支持されている。図示のハンガーアーム７の構造は一例であって、その他の従来公知のハンガーアームの構造も採用可能である。
【００２０】
次に、歯科用照明装置１０の詳細構成について図２〜図４も参照して説明する。図例の歯科用照明装置１０は、合成樹脂の成型体からなる枠体１１と、前記枠体１１に保持された光源１２と、前記枠体１１における照射側部に着脱自在に装着される透光性カバー１３とを備えている。ここで、照射側部とは本歯科用照明装置１０の前面側（照明光が出射される側）であり、ハンガーアーム７によって支持される側が照射側部の反対側部である。前記枠体１１は、方形の枠本体１１ａと、該枠本体１１ａの左右両側に、把持角度が可変とされる把手１１ｂ、１１ｂが着脱自在に装着されている。前記枠体１１の枠本体１１ａにおける照射側部の反対側部には椀形の反射ミラー１１１を含むミラー枠部材１１０が設けられている。前記光源１２はハロゲンランプからなり、該ハロゲンランプ１２の前記照射側部は遮光用筐体１２ａで覆われている。該遮光用筐体１２ａの反射ミラー１１１側部分は開口しており、ハロゲンランプ１２による光は反射ミラー１１１で反射されて前記照射側部に指向され、透光性カバー１３を透して照射対象に照射されるよう構成されている。反射ミラー１１１による反射光は、種々の角度で照射側部に指向され、これによって無影灯の機能を奏するよう構成されている。遮光用筐体１２ａは、手操作可能なビス１２ｂによって、枠体１１の所定位置に着脱自在に取付けられている。ハロゲンランプ１２の交換等は、透光性カバー１３を取外し、ビス１２ｂを緩めて遮光用筐体１２ａを取外した上でなされる。前記ミラー枠部材１１０におけるハロゲンランプ１２の設置位置に対応する部位の天板部分には、放熱用の格子状通気部１１２が形成されている。
【００２１】
透光性カバー１３はアクリル樹脂等の透光性合成樹脂の成型体からなり、前面側に緩やかに凸曲する略方形のカバー本体部１３ａと、該カバー本体部１３ａの周縁部に連成されて前記枠本体１１ａの内周部分に嵌装される差込部１３ｂとが一体に形成されている。カバー本体部１３ａの表面には、メトキシ桂酸オクチル、ブチルベンゾイルメタン等からなる紫外線吸収素材がコーティングされている。上辺部側の前記差込部１３ｂには、後記する第１のロック機構１４を構成する被掛止部１５と、一対の弾性手段１８とが形成されている。具体的には、被掛止部１５は、差込部１３ｂに開設された方形の透孔からなり、弾性手段１８は、差込部１３ｂに切欠により形成された舌状部片からなる。弾性手段としての舌状部片１８は、枠本体１１ａに対する差込側端部が自由端とされ、この自由端側の上面にはスペーサ突子１８ａが形成されている。また、下辺部側差込部１３ｂには、後記する第２のロック機構１７を構成する一対の鉤型係止部片１７ａ，１７ａが下向きに形成されている。一方、枠本体１１ａの上辺部における前記被掛止部１５に対応する位置には、後記する第１のロック機構１４を構成する回動爪部材１６が取付けられている。また、枠本体１１ａの下辺部側における前記鉤型係止部片１７ａ，１７ａに対応する位置には、後記する第２のロック機構１７を構成する一対の鉤型係止部片１７ｂ，１７ｂが上向きに形成されている。
【００２２】
図３及び図４は、前記第１及び第２のロック機構１４，１７の詳細構造、及び弾性手段１８を介在させたこれらロック機構１４，１７の動作を説明する図である。前記回動爪部材１６は、前記被掛止部（以下、透孔と言う）１５に嵌まり込む爪片１６ａを備え、前記上辺部の枠本体１１ａに平行に取付けられた支軸１６ｂに、その軸心回りに回動自在に支持されている。回動爪部材１６は、更に、前記支軸１６ｂを挟んで爪片１６ａとは反対側に手指によって操作し得る操作片１６ｃと、規制片１６ｄとを備えている。この規制片１６ｄと枠本体１１ａとの間には圧縮ばね１６ｅが弾装され、回動爪部材１６は、この圧縮ばね１６ｅの弾力により、支軸１６ｂの軸心を中心に時計方向に回転付勢されている。図３（ａ）は、透光性カバー１３が、枠体１１に装着された状態を示しており、前記第２のロック機構１７を構成する鉤型係止部片１７ａ，１７ｂが互いに行き違うような係止関係とされ、透光性カバー１３の下辺部側が枠体１１から外れないように保持されている。また、第１のロック機構１４を構成する回動爪部材１６の爪片１６ａは、前記透孔１５に嵌まり込んで掛止され、前記圧縮ばね１６ｅの弾力によってこの掛止状態に維持され、透光性カバー１３の上辺部側が枠体１１から外れないように保持されている。そして、透光性カバー１３の枠体１１に対する装着状態では、前記舌状部片からなる弾性手段（以下、舌状部片と言う）１８のスペーサ突子１８ａが、上辺部側枠本体１１ａの下面に当接され、これによって、枠体１１の上辺部側枠本体１１ａと透光性カバー１３の上辺部側差込部１３ｂとの間にスペーサ突子１８ａの高さ分に相当する間隔ｄが確保されている。歯科用照明装置１０は、前記第１及び第２のロック機構１４，１７のロック機能によって透光性カバー１３の枠体１１に対する装着状態が維持され、この状態で図１に示すような歯科診療装置１において使用に供される。
【００２３】
前記透光性カバー１３を枠体１１から取外す際、先ず、図３（ｂ）及び図４（ａ）に示すように、前記操作片１６ｃを手指Ｆによって圧縮ばね１６ｅの弾力に抗して押上げるよう操作し、回動爪部材１６を支軸１６ｂの回りに反時計方向に回転させる。この回転によって、圧縮ばね１６ｅが圧縮されると共に、爪片１６ａが透孔１５から抜出す方向に動作する。而して、前記規制片１６ｄが枠本体１１ａに形成されたストッパー突起１１ｃに当接し、回動爪部材１６のこれ以上の回転が阻止される。この状態では、爪片１６ａが前記透孔１５から抜けきらず、前記掛止関係は未だ解除されない状態とされる。引き続き、前記操作片１６ｃに対する押上げ操作を維持したまま、図３（ｃ）に示す白抜矢印ａ方向に透光性カバー１３を操作すると、前記舌状部片１８はその自由端側がスペーサ突子１８ａによって規制されている為、その基部側を支点として相対的に下向きに弾性変形し、透光性カバー１３が持上げられる。これによって、爪片１６ａが前記透孔１５から抜けきり、図４（ｂ）に示すように爪片１６ａと透孔１５との前記掛止関係が完全に解除される。この状態で、透光性カバー１３の上部を図３（ｃ）に示す白抜矢印ｂ方向に引出すように操作すると、第２のロック機構１７を構成する鉤型係止部片１７ａ，１７ｂの係止関係も解除され、透光性カバー１３を枠体１１から取外すことができる。このように、手指Ｆによる操作片１６ｃを押上げる操作と、透光性カバー１３を持上げる操作とのダブルアクションによらなければ、透光性カバー１３の枠体１１からの取外離脱が不可とされ、透光性カバー１３の取外作業時における透光性カバー１３の不意の脱落が生じ難くなる。
【００２４】
透光性カバー１３を枠体１１に装着する際は、先ず、透光性カバー１３を斜めにしてその下辺部側差込部１３ｂを枠本体１１ａ内に差込み、透光性カバー１３側の鉤型係止部片１７ａを枠体１１側の鉤型係止部片１７ｂに行き違い状に係止させる。次いで、舌状部片１８のスペーサ突子１８ａを上辺部側枠本体１１ａの下面に当接させた状態で舌状部片１８を弾性変形させるようにして透光性カバー１３を持上げ、この状態で上辺部側差込部１３ｂを枠本体１１ａ内に押込み、透光性カバー１３を手離せば装着が完了する。この押込み操作の際、回動爪部材１６の爪片１６ａに押込み力が作用し、圧縮ばね１６ｅの弾力に抗して回動爪部材１６が反時計方向に回転し、透孔１５が爪片１６ａの位置に達すると圧縮ばね１６ｅの復元弾力によって爪片１６ａが透孔１５に嵌り込んで掛止される。尚、回動爪部材１６の前記操作片１６ｃを図３（ｂ）のように押上操作した状態で前記押込み操作を行っても良い。
【００２５】
図５（ａ）（ｂ）は弾性手段の別の実施形態を示している。この例では、弾性手段としての舌状部片１９が枠体１１側に形成されている。即ち、上辺部側の枠本体１１ａの下面には、その前面側が自由端となるよう舌状部片１９が切欠により形成され、この舌状部片１９の自由端側の下面にスペーサ突子１９ａが形成されている。このスペーサ突子１９ａは、上辺側差込部１３ｂの上面に当接している。透光性カバー１３が枠体１１に装着された通常の使用状態や、図５（ａ）に示すように回動爪部材１６を反時計方向に回転操作して第１のロック機構１４のロック解除操作過程（爪片１６ａが透孔１５から抜けきらない状態）では、舌状部片１９は弾性変形せず、上辺側枠本体１１ａの下面と上辺側差込部１３ｂの上面との間隔ｄがスペーサ突子１９ａによって維持された状態とされる。そして、図３（ｃ）の白抜矢印ａ方向に透光性カバー１３を持上げるよう操作すれば、図５（ｂ）に示すように舌状部片１９が弾性変形し、爪片１６ａの透孔１５からの掛止離脱がなされる。従って、この実施形態でも、ダブルアクションによらなければ透光性カバー１３の枠体１１からの取外離脱が不可とされ、透光性カバー１３の取外作業時における透光性カバー１３の不意の脱落が生じ難くなる。その他の構成は前記実施形態と同様であるから、共通部分に同一の符号を付し、その説明を割愛する。
【００２６】
図６（ａ）（ｂ）は、図５（ａ）（ｂ）に示す例の変形例を示している。即ち、この例では前記実施形態における弾性手段としての舌状部片１９に代えて、板ばね部材２０を上辺部側の枠本体１１ａの下面に設けている。板ばね部材２０の基部は上辺部側枠本体１１ａの下面に固着され、その自由端側が上辺側差込部１３ｂの上面に弾接している。この例においても、透光性カバー１３が枠体１１に装着された通常の使用状態や、図６（ａ）に示すように回動爪部材１６を反時計方向に回転操作して第１のロック機構１４のロック解除操作過程（爪片１６ａが透孔１５から抜けきらない状態）では、板ばね部材２０の弾力によって、上辺側枠本体１１ａの下面と上辺側差込部１３ｂの上面との間隔ｄが維持された状態とされる。そして、前記と同様に透光性カバー１３を持上げるよう操作すれば、図６（ｂ）に示すように板ばね部材２０が座屈するよう弾性変形し、爪片１６ａの透孔１５からの掛止離脱がなされる。従って、この実施形態でも、ダブルアクションによらなければ透光性カバー１３の枠体１１からの取外離脱が不可とされ、透光性カバー１３の取外作業時における透光性カバー１３の不意の脱落が生じ難くなる。その他の構成は前記実施形態と同様であるから、共通部分に同一の符号を付し、ここでもその説明を割愛する。
【００２７】
図７は弾性手段の更に別の実施形態を示している。図７は、上辺部側枠本体１１ａの長手方向に沿った破断面による断面図であり、弾性手段が設けられる部位のみを示し、上辺部側枠本体１１ａの他部位には図示は省略するが前記と同様の第１のロック機構１４が装備されているものとする。この例では、弾性手段２１が、ばね部材２１ａと、前記ばね部材２１ａによって弾力付勢される押当部材２１ｂとより構成されている。押当部材２１ｂはプランジャからなり、該プランジャ２１ｂは、上辺部側枠本体１１ａに内装され、その下端部が、上辺部側枠本体１１ａの下面に形成された透孔１１ｄより突出し、圧縮コイルばねからなるばね部材２１ａによって下向きに弾力付勢されて透孔性カバー１３における上辺側差込部１３ｂの上面に弾接するよう構成されている。これによって、透光性カバー１３の枠体１１に対する通常の装着状態においては、前記と同様の間隔ｄが維持されるようになされている。そして、図示を省略するが、透光性カバー１３を持上げるよう操作すれば、圧縮コイルばね２１ａが圧縮するよう弾性変形し、爪片１６ａの透孔１５からの掛止離脱がなされる（図４〜図６の各（ｂ）参照）。従って、この実施形態でも、ダブルアクションによらなければ透光性カバー１３の枠体１１からの取外離脱が不可とされ、透光性カバー１３の取外作業時における透光性カバー１３の不意の脱落が生じ難くなる。
【００２８】
図８及び図９は、光源と反射ミラーとが照明モジュール化された例を示す。前者は光源がハロゲンランプからなる例を、後者は光源がＬＥＤからなる例を示している。図８に示す例は、図１及び図２に示す例と同様の反射ミラー２２１と、光源としてのハロゲンランプ１２及び遮光用筐体１２ａとをモジュール本体２２０に一体として照明モジュール２２としたものである。反射ミラー２２１は、モジュール本体２２０の椀形凹曲形状部の内面に設けられ、また、ハロゲンランプ１２及び遮光用筐体１２ａはモジュール本体２２０の所定位置に着脱自在に設置されている。モジュール本体２２０は、ビス２２ａ…によって、前記実施例と同様形状の枠体１１の背面部に取付固定される。これによって、光源としてのハロゲンランプ１２が枠体１１に保持された状態とされる。この取付固定の際、ハロゲンランプ１２の基板に設けられた受電端子（いずれも不図示）が、枠体１１に設けられた給電端子１１ｅに電気的に接合され、ハロゲンランプ１２に対する給電が可能とされる。給電端子１１ｅには、前記ハンガーアーム７を介して電源（不図示）に接続された給電用ケーブル（不図示）が配線されている。モジュール本体２２０におけるハロゲンランプ１２の設置位置に対応する部位の天板部分には、放熱用の格子状通気部２２ｂが形成されている。このように照明モジュール２２を枠体１１に取付固定して構成される歯科用照明装置１０Ａにおいて、ハロゲンランプ１２が点灯されると、ハロゲンランプ１２からの光は前記反射ミラー２２１によって反射されて、前記と同様に照射側に指向され、透光性カバー１３を透して治療対象部位（患部）に照射される。
【００２９】
図９に示す例は、一面が開放する方形箱形のモジュール本体２３０の内底面を反射ミラー２３１とし、この内底面に複数のＬＥＤを配列した光源としてのＬＥＤアレイ２３２を４個設置して照明モジュール２３としたものである。モジュール本体２３０は、ビス２３ａ…によって、前記実施例と同様形状の枠体１１の背面部に取付固定される。これによって、光源としてのＬＥＤアレイ２３２が枠体１１に保持された状態とされる。この取付固定の際、ＬＥＤアレイ２３２の基板に設けられた受電端子（いずれも不図示）が、枠体１１に設けられた給電端子１１ｅに電気的に接合され、ＬＥＤアレイ２３２に対する給電が可能とされる。給電端子１１ｅには、前記ハンガーアーム７を介して電源（不図示）に接続された給電用ケーブル（不図示）が配線されている。モジュール本体２３０におけるＬＥＤアレイ２３２の設置位置に対応する部位の背面部分には、放熱用の格子状通気部２３ｂが形成されている。このように照明モジュール２３を枠体１１に取付固定して構成される歯科用照明装置１０Ｂにおいて、ＬＥＤアレイ２３２の各ＬＥＤが点灯されると、ＬＥＤからの光は前記反射ミラー２３１によって反射されて、前記と同様に照射側に指向され、透光性カバー１３を透して治療対象部位（患部）に照射される。ＬＥＤは、小型でありながら出力が大きく、また寿命も長いので、特に、歯科用の照明装置として好ましく採用される。また、個々のＬＥＤの向きを変化させ、これと反射ミラーとを組合せることにより、無影灯としての照射パターンの設計自由度が高くなり、実益が大である。
【００３０】
尚、前記の実施形態では、歯科用照明装置を例に採って説明したが、本発明はその他の医療用照明装置としても広く適用されるものである。また、枠体１１、透光性カバー１３及びその付随部分の形状等は例示のものに限定されず、その他の形状であっても良い。更に、弾性手段として図示のものを例示したが、同様の機能を奏するものであれば、他の構成のものも採用可能であることは言うまでもない。
【符号の説明】
【００３１】
１０，１０Ａ，１０Ｂ          歯科用（医療用）照明装置
１１                          枠体
１１１                        反射ミラー
１２                          ハロゲンランプ（光源）
１３                          透光性カバー
１４                          第１のロック機構
１５                          透孔（被掛止部）
１６                          回動爪部材
１６ａ                        爪片
１７                          第２のロック機構
１７ａ                        鉤型係止部片
１７ｂ                        鉤型係止部片
１８                          舌状部片（弾性手段）
１９                          舌状部片（弾性手段）
２０                          板ばね部材（弾性手段）
２１                          弾性手段
２１ａ                        圧縮コイルばね（ばね部材）
２１ｂ                        プランジャ（押当部材）
２２，２３                    照明モジュール
２２１，２３１                反射ミラー
２３２                        ＬＥＤアレイ（光源）
【図１】
0005448075.tif 000002
【図２】
0005448075.tif 000003
【図３】
0005448075.tif 000004
【図４】
0005448075.tif 000005
【図５】
0005448075.tif 000006
【図６】
0005448075.tif 000007
【図７】
0005448075.tif 000008
【図８】
0005448075.tif 000009
【図９】
0005448075.tif 000010